(57)【要約】【課題】保管、組立が容易で、安価経済的で、さらに保守が容易な空気マットを提供する。【解決手段】空気マット２が、長手方向の両端部を閉じ、一端部に空気注入弁４を有し、空気の注入により筒状に膨らむ複数個の空気袋６と、この複数個の空気袋６を並列に着脱を可能に取付ける複数個の、空気袋６の長手方向と直交する方向に所定幅で延び、筒穴を成して空気袋６それぞれを挿脱可能に保持する複数の差込部８ａを有する取付帯８を備えている。【選択図】図１
0003178135.tif 000002
【実用新案登録請求の範囲】
【請求項１】
長手方向の両端部を閉じ、一端部に空気注入弁を有し、空気の注入により筒状に膨らむ複数個の空気袋と、
この複数個の空気袋を並列に着脱を可能に取付ける複数個の、空気袋の長手方向と直交する方向に所定幅で延び、筒穴を成して空気袋それぞれを挿脱可能に保持する複数の差込部を有する取付帯と、
を備えていることを特徴とする空気マット。
【請求項２】
空気袋が、
中空扁平帯状のプラスチックフィルムを所定の長さに切断し切断した端部を溶着して形成され、
取付帯が、
この中空扁平帯を２枚重ね長手方向において所定の間隔で２枚を溶着接合し、隣接した溶着部の間の重ねた２枚の中空扁平帯の間に上記の差込部が形成されている、
ことを特徴とする請求項１記載の空気マット。
【請求項３】
空気注入弁が、
矩形のプラスチックフィルムを２枚重ね一対の対向した辺それぞれを溶着密封して形成され、
空気袋の一端部の溶着部に一対の未溶着開放辺を袋の内と外にして溶着し取付け、
空気袋の外よりこの開放辺を通した細長い管によって空気袋内に空気を注入し、管を抜出すことにより、空気袋内の気圧により２枚のプラスチックフィルムが密着し、空気袋内の空気の外への流出を止める、
ことを特徴とする請求項２記載の空気マット。
【考案の詳細な説明】
【技術分野】
【０００１】
本考案は、空気マット、さらに詳しくは、例えば避難所における簡易ベッド、敷物などとして好適な空気マットに関する。
【背景技術】
【０００２】
従来から、空気の注入によって所定の大きさに膨らむ簡易な空気マットが、医療、防災、レジャー、梱包などの種々の分野において実用されている。また空気マットを複数の空気袋（エアセル）の組合せによって構成したものが、特に床ずれ防止のような医療用として開発されている（例えば、特許文献１参照）。
【先行技術文献】
【特許文献】
【０００３】
【特許文献１】特開２００３−２８９９９４号公報（第１図）
【考案の概要】
【考案が解決しようとする課題】
【０００４】
上述の従来の空気マットには、次のとおりの改善の望まれている課題がある。
【０００５】
すなわち、特に災害避難所における簡易ベッド、敷物などとしての空気マットには、備蓄、組立が容易で、安価経済的で、さらに保守が容易であるなどの要望がある。従来の一体形の空気マットでは、損傷、空気漏れが発生した場合、修繕が困難で全体を新品と交換する必要であり不経済である。また、複数の空気袋を組み合わせるマットは、医療用のベッド、マットの一部を構成するもので、全体の構造が複雑であり、簡易な空気マット、敷物としては実際的でない。
【０００６】
本考案は上記事実に鑑みてなされたもので、その技術的課題は、保管、組立が容易で、安価経済的で、さらに保守が容易な空気マットを提供することである。
【課題を解決するための手段】
【０００７】
本考案によれば上記技術的課題を解決する空気マットとして、長手方向の両端部を閉じ、一端部に空気注入弁を有し、空気の注入により筒状に膨らむ複数個の空気袋と、この複数個の空気袋を並列に着脱を可能に取付ける複数個の、空気袋の長手方向と直交する方向に所定幅で延び、筒穴を成して空気袋それぞれを挿脱可能に保持する複数の差込部を有する取付帯と、を備えていることを特徴とする空気マットが提供される。
【０００８】
好適には、空気袋は、中空扁平帯状のプラスチックフィルムを所定の長さに切断し切断した端部を溶着して形成され、取付帯は、この中空扁平帯を２枚重ね長手方向において所定の間隔で２枚を溶着接合し、隣接した溶着部の間の重ねた２枚の中空扁平帯の間に上記の差込部が形成されている。
【０００９】
さらに、空気注入弁は、矩形のプラスチックフィルムを２枚重ね一対の対向した辺それぞれを溶着密封して形成され、空気袋の一端部の溶着部に一対の未溶着開放辺を袋の内と外にして溶着し取付け、空気袋の外よりこの開放辺を通した細長い管によって空気袋内に空気を注入し、管を抜出すことにより、空気袋内の気圧により２枚のプラスチックフィルムが密着し、空気袋内の空気の外への流出を止める。
【考案の効果】
【００１０】
本考案に従って構成された空気マットは、一端部に空気注入弁を有し、空気の注入により筒状に膨らむ複数個の空気袋と、この複数個の空気袋を並列に着脱を可能に取付ける複数個の、空気袋の長手方向と直交する方向に所定幅で延び、筒穴を成して空気袋それぞれを挿脱可能に保持する複数の差込部を有する取付帯を備えている。
【００１１】
すなわち、この空気マットは、空気を注入すると筒状に膨らむ空気袋を必要な数、並列に取付帯に着脱を可能に取付けて構成されるので、組立前の空気袋および取付帯の保管、備蓄は容易であり、空気マットとしての組立は容易であり、プラスチックフィルム製の空気袋は安価であり、個々の空気袋のいずれかに損傷が発生したときは損傷した袋のみを交換することができる。
【００１２】
したがって、保管、組立が容易で、安価経済的で、さらに保守が容易な空気マットを提供することができる。
【図面の簡単な説明】
【００１３】
【図１】（ａ）は本考案に従って構成された空気マットの平面図。（ｂ）は（ａ）のＡ−Ａ矢印方向に見た側面図。
【図２】（ａ）は図１に示す空気袋を空気注入前の状態で示した平面図。（ｂ）は（ａ）のＢ−Ｂ矢印方向に見た断面図。
【図３】（ａ）は図１に示す取付帯の平面図。（ｂ）は（ａ）のＣ−Ｃ矢印方向に見た断面図、（ｃ）は（ａ）のＤ−Ｄ矢印方向に見た側面図でそれぞれ差込部を説明のため誇張表示したもの。（ｄ）は（ｃ）の差込部を筒穴状態で示したもの。
【図４】図１および図２に示す空気袋の空気注入弁の部分の拡大図。
【考案を実施するための形態】
【００１４】
以下、本考案に従って構成された空気マットについて、好適実施形態を図示している添付図面を参照して、さらに詳細に説明する。
【００１５】
図１を参照して説明する。全体を番号２で示す空気マットは、長手方向の両端部を閉じ、一端部に空気注入弁４を有し、空気の注入により筒状に膨らむ複数個の空気袋６と、この複数個の空気袋６を並列に着脱を可能に取付ける複数個の、空気袋６の長手方向と直交する方向に所定幅Ｗで延び、筒穴を成して空気袋６それぞれを挿脱可能に保持する複数の差込部８ａを有する取付帯８を備えている。
【００１６】
図１に示す空気マット２は、簡易ベッドとして大人１人が横になれるサイズを想定したもので、空気袋６を２４個、取付帯８を２個備えた例である。空気袋６および取付帯８の個数、取付位置は任意に決めることができる（後に詳述する）。
【００１７】
図１とともに図２を参照して空気袋６について説明する。空気袋６は、中空扁平帯状の幅Ｗのプラスチックフィルムであるポリエチレンフィルムを所定の長さＬに切断し切断した端部を溶着（Ｍで示す）して形成されている。
【００１８】
大人１人の簡易ベッドとしては、例えば長さＬは７６０ｍｍ、幅Ｗは１２０ｍｍとするとよい。空気袋６は空気を注入し膨らませると（二点鎖線で示す）外径ｄ約８０ｍｍの筒状になる。
【００１９】
図１とともに図３を参照して取付帯８について説明する。取付帯８は、空気袋６と同じ中空扁平状のポリエチレンフィルムを２枚重ね長手方向において所定の間隔ＬＬで２枚を溶着接合（Ｍで示す）し、隣接した溶着部Ｍの間の重ねた２枚の間に空気袋６と同じ長さＷの差込部８ａが形成されている。図３（ｄ）は図３（ｃ）の差込部８ａを筒状に膨らんだ空気袋６を受け入れたときに筒穴状を示している。
【００２０】
上述の大人１人の簡易ベッドとしては、差込部８ａは空気袋６の数に合わせて２４個形成され、間隔ＬＬはＷ１２０ｍｍ＋溶着代Ｍ２ｍｍの１２２ｍｍである。
【００２１】
図４を参照して空気注入弁４について説明する。空気注入弁４は、矩形のプラスチックフィルムを２枚重ね一対の対向した辺それぞれを溶着密封（Ｍで示す）して形成され、空気袋６の一端部を溶着（Ｍ）する際に一対の未溶着開放辺を袋６の内と外にして溶着（Ｍ）され取付けられている。
【００２２】
空気袋６の外よりこの開放辺を通した細長い管１０（例えばストロー）によって空気袋６内に空気を注入し、管１０を抜出すことにより、空気袋６内の気圧により２枚のプラスチックフィルムが密着し、空気袋６内の空気の外への流出が止められる。
【００２３】
図１〜図４を参照して、複数個の空気袋６の取付帯８への取付けおよび取外しについて説明する。
１．取付けに際しては、複数個の空気袋６それぞれを完全に膨らます前に取付帯８の差込部８ａに順次差込む。
２．この状態で空気袋６それぞれに順次空気注入弁４に管１０を通して空気を注入し膨らませる。
３．空気袋６は丸筒状（図２（ｂ））になり取付帯８の差込部８ａを筒穴状（図３（ｄ））に押し広げ取付帯８に保持される。
４．空気袋６を、例えば交換あるいは収納保管のために、取付帯８から取り外すときは、空気注入弁４に管１０を通して中の空気を抜いた袋６を、あるいは損傷などで空気に抜けた袋６を、差込部８ａから抜出す。
【００２４】
上述したとおりの空気マット２の作用効果について説明する。
【００２５】
空気マット２は、一端部に空気注入弁４を有し、空気の注入により筒状に膨らむ複数個の空気袋６と、この複数個の空気袋６を並列に着脱を可能に取付ける複数個の、空気袋６の長手方向と直交する方向に所定幅Ｗで延び、筒穴を成して空気袋６それぞれを挿脱可能に保持する複数の差込部８ａを有する取付帯８を備えている。
【００２６】
すなわち、この空気マット２は、空気を注入すると筒状に膨らむ空気袋６を必要な数、並列に取付帯８に着脱を可能に取付けて構成されるので、組立前の空気袋６および取付帯８の保管、備蓄は容易であり、空気マット２としての組立は容易であり、プラスチックフィルム製の空気袋６は安価であり、個々の空気袋６のいずれかに損傷が発生したときには損傷した袋６のみを交換できる。また、取付帯８の差込部８ａ内で筒状に膨らんだ空気袋６は、差込部８ａから抜けにくく簡単な構造で確実に保持される。
【００２７】
したがって、保管、組立が容易で、安価経済的で、さらに保守が容易な空気マット２を提供することができる。空気マット２は、例えば避難所における簡易ベッド、敷物などに好適である。
【００２８】
そして空気袋６は、中空扁平帯状のプラスチックフィルムを所定の長さに切断し切断した端部を溶着して形成され、取付帯８は、この中空扁平帯を２枚重ね長手方向において所定の間隔で２枚を溶着接合し、隣接した溶着部の間の重ねた２枚の中空扁平帯の間に差込部８ａが形成されている。
【００２９】
したがって、空気袋６および取付帯８を同じ中空扁平帯状のプラスチックフィルムによって形成することにより、空気マット２を安価経済的に製作することができる。
【００３０】
さらに空気注入弁４は、矩形のプラスチックフィルムを２枚重ね一対の対向した辺それぞれを溶着密封して形成され、空気袋６の一端部の溶着部Ｍに一対の未溶着開放辺を袋の内と外にして溶着し取付け、空気袋６の外よりこの開放辺を通した細長い管１０によって空気袋６内に空気を注入し、管１０を抜出すことにより、空気袋６内の気圧により２枚のプラスチックフィルムが密着し、空気袋６内の空気の外への流出を止める。
【００３１】
したがって、簡単な構造の空気注入弁４によって、身近なストローなどを用いて、空気袋６への空気の注入、また空気の抜けた袋６のみの空気補充を容易に行うことができる。
【００３２】
以上、本考案を実施例に基づいて詳細に説明したが、本考案は上記の実施例に限定されるものではなく、例えば下記のように、本考案の範囲内においてさまざまな変形あるいは修正ができるものである。
【００３３】
実施例においては、空気マット２を構成する空気袋６は２４個、取付帯８は２個であるが、これらの数は空気マットの用途などに応じて適宜に決めることができる。また、空気袋６の長さＬ、幅Ｗ（丸筒の径ｄ）、取付帯８の幅Ｗも適宜に決めることができる。
【００３４】
実施例においては、空気袋６および取付帯８の材料としてポリエチレンフィルムが用いられているが、他のプラスチックフィルムでもよい。
【００３５】
実施例においては、空気注入弁４として矩形のプラスチックフィルムを２枚重ねたものが用いられているが、空気を注入できるものであれば他の構造のものでもよい。
【符号の説明】
【００３６】
２：空気マット
４：空気注入弁
６：空気袋
８：取付帯
８ａ：差込部
１０：管
【図１】
0003178135.tif 000003
【図２】
0003178135.tif 000004
【図３】
0003178135.tif 000005
【図４】
0003178135.tif 000006